(57)【要約】【課題】シートの前後移動に伴ってスライドするスライドボードと、荷室の下部に設けられた収納部を閉塞するトランクボードと、トランクボードの後部に設けられたガーニッシュとを含む車両後部構造であっても、トランクボードの開動作を滑らかにすることができること。【解決手段】前後方向へ移動可能なシートと、荷室と、収納部（３１）と、トランクボード（６０）とを含む車両後部構造である。車両後部構造は、トランクボード（６０）の後部に設けられるガーニッシュ（５０）と、シートの移動に伴ってトランクボード（６０）の上面（６０）をスライドするリアボード（７３）とを含む。ガーニッシュ（５０）のなかの、トランクボード（６０）の上面（６１）より上方に突出した突出部分（５１）の前面（５２）は、車両側面視で円弧状に窪みつつ傾斜する傾斜面（５３，５４）に形成される。【選択図】図１０
2016124524.tif 000002
【特許請求の範囲】
【請求項１】
車室に前後方向へ移動可能に設けられて乗員が着座するシートと、該シートの後方に形成されて荷物が搭載される荷室と、該荷室に下方へ窪むように形成されて物品が収納される収納部と、該収納部の上部に開閉可能に設けられて前記収納部を閉鎖するトランクボードと、該トランクボードの後部に設けられて該トランクボードの上面から上方へ突出するガーニッシュと、前記シートの後部に後方へ延びるように設けられて該シートの移動に伴って前記トランクボードの上面をスライドするスライドボードと、を含む車両後部構造において、
前記ガーニッシュのなかの、前記トランクボードの上面より上方に突出した突出部分の前面は、車両側面視で円弧状に窪みつつ傾斜する傾斜面に形成されていることを特徴とする車両後部構造。
【請求項２】
前記傾斜面は、前記ガーニッシュのなかの、車幅方向の中央部に位置していることを特徴とする請求項１記載の車両後部構造。
【請求項３】
前記傾斜面は、前記ガーニッシュのなかの、中央部の他に車幅方向の両端部にも位置していることを特徴とする請求項２記載の車両後部構造。
【発明の詳細な説明】
【技術分野】
【０００１】
本発明は、荷室にトランクボードが設けられた車両後部構造に関する。
【背景技術】
【０００２】
車両後部構造には、車両の後部に荷物が搭載される荷室が形成され、この荷室の下部に物品が収納される収納部が形成され、この収納部にトランクボードが開閉可能に設けられたものがある。このような車両後部構造として、特許文献１に開示された技術が知られている。
【０００３】
特許文献１に開示された技術では、車室に前方に折り畳み可能なシートが設けられ、シートの後方に荷物が搭載される荷室が形成され、この荷室の下部に収納部が形成され、この収納部にトランクボードが開閉可能に設けられる。トランクボードの前端とシートの背面部との間には、隙間があるため、この隙間を塞ぐ前方側ボードがさらに設けられている。トランクボード及び前方側ボードを設けることで、物品を収納部に収納し、さらにトランクボード及び前方側ボードの上に荷物を載置することができる。
【０００４】
一方、シートには、前後方向に移動する形式のものがある。前後方向に移動するシートの場合、シートを最前端移動させても、シートとトランクボードとの間に隙間が生じないようにするために、シートの背面に前後方向に長いスライドボードを設け、このスライドボードをトランクボードの上面に重ねることがある。スライドボードを重ねることで、シートの前後方向の移動に追従して、スライドボードがトランクボード上をスライドする。このため、シートの位置にかかわらず、シートとトランクボードとの間に隙間が生じないようにすることができる。
【０００５】
他方、トランクボードの後端部には、トランクボード上面から突出するようにガーニッシュが設けられているものがある。車両後端面の開口部側からトランクボードの後端部を持ち上げるように開ける際、ガーニッシュを掴んでトランクボードを容易に開けることができる。
【０００６】
しかし、シートが最後端にある状態、いわゆるリアモストの状態にある場合、スライドボードの後端がガーニッシュ近傍に位置するため、ガーニッシュ及びトランクボード後端部を持ち上げると、スライドボードの後端がガーニッシュに引っ掛かることがある。このため、ガーニッシュが設けられたトランクボードが、開き難くなることがあった。
【先行技術文献】
【特許文献】
【０００７】
【特許文献１】特開２００５−９６６６０号公報
【発明の概要】
【発明が解決しようとする課題】
【０００８】
本発明は、シートの前後移動に伴ってスライドするスライドボードと、荷室の下部に設けられた収納部を閉塞するトランクボードと、トランクボードの後部に設けられたガーニッシュとを含む車両後部構造であっても、トランクボードの開動作を滑らかにすることができる技術を提供することを課題とする。
【課題を解決するための手段】
【０００９】
請求項１による発明によれば、車室に前後方向へ移動可能に設けられて乗員が着座するシートと、該シートの後方に形成されて荷物が搭載される荷室と、該荷室に下方へ窪むように形成されて物品が収納される収納部と、該収納部の上部に開閉可能に設けられて前記収納部を閉鎖するトランクボードと、該トランクボードの後部に設けられて該トランクボードの上面から上方へ突出するガーニッシュと、前記シートの後部に後方へ延びるように設けられて該シートの移動に伴って前記トランクボードの上面をスライドするスライドボードと、を含む車両後部構造において、前記ガーニッシュのなかの、前記トランクボードの上面より上方に突出した突出部分の前面は、車両側面視で円弧状に窪みつつ傾斜する傾斜面に形成されていることを特徴とする。
【００１０】
請求項２に記載のごとく、好ましくは、傾斜面は、ガーニッシュのなかの、車幅方向の中央部に位置していることを特徴とする。
【００１１】
請求項３に記載のごとく、好ましくは、傾斜面は、ガーニッシュのなかの、中央部の他に車幅方向の両端部にも位置していることを特徴とする。
【発明の効果】
【００１２】
請求項１に係る発明では、車両後部構造は、収納部の上部に開閉可能に設けられて収納部を閉鎖するトランクボードと、該トランクボードの後部に設けられて該トランクボードの上面から上方へ突出するガーニッシュと、シートの後部に後方に延びるように設けられて該シートの移動に伴ってトランクボードの上面をスライドするスライドボードとを含む。ガーニッシュのなかの、トランクボードの上面より上方に突出した突出部分の前面は、車両側面視で円弧状に窪みつつ傾斜する傾斜面に形成されている。このため、シートが最後端に位置する場合、いわゆるリアモストの状態にある場合に、トランクボードの後部を持ち上げても、スライドボードの後端部が円弧状に窪みつつ傾斜する傾斜面によって円滑に案内され、スライドボードの後端部がガーニッシュに引っ掛からないので、トランクボードの開動作を滑らかにすることができる。
【００１３】
請求項２に係る発明では、傾斜面は、ガーニッシュのなかの、車幅方向の中央部に位置するので、トランクボードの開動作時に、スライドボードをバランス良く傾斜面に乗り上げさせることができる。
【００１４】
請求項３に係る発明では、傾斜面は、ガーニッシュのなかの、車幅方向の両端部にも位置しているので、トランクボードと車幅方向一方側に荷物が有り、左右の荷重バランスが偏った場合であっても、トランクボードの開動作時に、スライドボードを傾斜面に乗り上げさせることができる。
【図面の簡単な説明】
【００１５】
【図１】本発明の車両後部構造の斜視図である。
【図２】図１の車両後部構造からスライドボードを外した斜視図である。
【図３】図１の３−３線断面図である。
【図４】トランクボードの平面図である。
【図５】図４の５矢視図である。
【図６】トランクボードの底面図である。
【図７】トランクボードの斜視図である。
【図８】図５の８−８線断面図である。
【図９】トランクボードの開閉を説明する図である。
【図１０】トランクボードの作用図である。
【図１１】ガーニッシュの作用図である。
【発明を実施するための形態】
【００１６】
本発明の実施の形態を添付図に基づいて以下に説明する。なお、説明中、左右とは車両の乗員を基準として左右、前後とは車両の進行方向を基準として前後を指す。また、図中Ｆｒは前、Ｒｒは後、Ｌは乗員から見て左、Ｒは乗員から見て右、Ｕｐは上、Ｄｎは下を示している。
【実施例】
【００１７】
図１に示されるように、車両１０は、車体１１と、この車体１１の後端面に形成された開口部１２と、車体１１に設けられ開口部１２を開閉可能なテールゲート１３とを含む。車両１０の後部構造は、車室１４と、この車室１４に前後方向へ移動可能に設けられて乗員が着座する左右のシート２０，２０と、これらの左右のシート２０，２０の後方に形成されて荷物が搭載される荷室３０と、開口部１２の下縁４１の一部を覆うガーニッシュ５０とを含む。
【００１８】
左右のシート２０，２０は、例えば、前後２列に配置されるシートの後列シートである。なお、左右のシート２０は、前後３列に配置されるシートの後列シートでもよく、シートの後方に荷室３０が形成されていれば何列目のシートでも差し支えない。以下、右のシート２０を単に、シート２０といい、車両１０の右半分について説明する。車両１０の左半分は、車両１０の右半分に略対称に構成されており、詳細な説明を省略する。
【００１９】
また、開口部１２は、荷室３０に臨むように形成されており、テールゲート１３を開けた状態で、作業者が荷物を開口部１２から荷室３０に出し入れすることができる。
【００２０】
図１〜図３に示されるよう、車両後部構造は、車室１４の底を形成するフロアパネル１５と、このフロアパネル１５に設けられるシートレール１６と、荷室３０の底部にフロアパネル１５を下方に窪ませるように形成される収納部３１とを含む。シートレール１６には、シート２０が移動可能に支持されている。
【００２１】
シート２０は、シートレール１６に脚部（不図示）を介して支持されるシートクッション２１と、このシートクッション２１の後端から立ち上げられるシートバック２２と、シートバック２２の上端に設けられるヘッドレスト２３と、シートクッション２１の下方に設けられシートレール２１を覆っているカバー部材２４とを含む。
【００２２】
収納部３１に物品を収納することができ、収納部３１の上部には、この収納部３１を閉鎖するトランクボード６０が開閉可能に設けられている。収納部３１の後端上部には、開口部１２の下縁４１が連続するように形成されており、下縁４１の一部がガーニッシュ５０で覆われている。また、下縁４１には、テールゲート１３を係止するためのストライカ４２が設けられている。
【００２３】
トランクボード６０は、略平板状に形成されており、トランクボート６０の後部にガーニッシュ５０が設けられている。シート２０の後部には、後方に延びるようにスライドボード７０が取り付けられており、スライドボード７０の一部が、トランクボート６０の上面６１にスライド可能に載せられている。
【００２４】
また、スライドボード７０は、荷物を載置可能であり、カバー部材２４の後突部２５の上面に配置されるセンターボード７１と、このセンターボード７１の前方に位置するフロントボード７２と、センターボード７１の後方に位置するリアボード７３とが、一体的に形成されてなる。
【００２５】
センターボード７１とフロントボード７２との間には、第１折り曲げ部７４が形成されており、センターボード７１とリアボード７３との間には、第２折り曲げ部７５が形成されている。これら第１折り曲げ部７４及び第２折り曲げ部７５は、スライドボード７０のなかの他の部位よりも薄く形成されている。
【００２６】
スライドボード７０は、第１折り曲げ部７４及び第２折り曲げ部７５を起点に折り曲げることができる。即ち、フロントボード７２は、センターボード７１に対して、第１折り曲げ部７４を中心に前後方向にスイング可能に設けられている。リアボード７３は、センターボード７１に対して、第２折り曲げ部７５を中心に前後方向にスイング可能に設けられている。
【００２７】
シート２０は、乗員が着座し、シートバック２４に凭れかかることができる状態にある。この状態においては、フロントボード７２は、第１折り曲げ部７４を起点に上方に折り曲げられ、シートバック２４の後面の下部を覆うように位置する。
【００２８】
カバー部材２４には、矩形状の孔２６が形成されている。この孔２６の内部には、シート２０をスライド操作するためのストラップ２７、及び、チャイルドシート等を固定するためのアンカー２８が臨んでいる。センターボード７１には、カバー部材２４の孔２６に一致するように、矩形孔７６が形成されている。
【００２９】
なお、実施例では、フロントボード７２は面ファスナーによりシートバック２２の後部に着脱可能に取り付けられているが、面ファスナーに限定されず、フロントボード７２がシートバック２２に着脱可能に取り付けられれば、フック等他の取付部材を使用しても差し支えない。また、センターボードは、カバー部材２４の後突部２５の上面に取り付けられている。このため、シート２０の前後方向の移動に伴い、スライドボード７０はシート２０と共に前後方向に移動する。
【００３０】
図３（ａ）に示されるように、シート２０は、最後端に位置しており、いわゆるリアモストの状態にある。リアボード７３のほぼ全面が、トランクボード６０の上面６１に載せられている。シート２０を矢印ａのように移動させると、リアボード７３はトランクボード６０の上面６１を矢印ｂのように移動する。
【００３１】
図３（ｂ）に示されるように、シート２０は、最前端に位置しており、リアボード７３の後端部のみが、トランクボード６０の上面に載せられている。このように、シート２０の位置によらず、収納部３１は、スライドボード７０のリアボード７３及びトランクボードによって覆われる。
【００３２】
図４〜図８に示されるように、トランクボード６０は、車幅方向に長く略矩形状に形成されている。トランクボード６０の後端部には、ガーニッシュ５０が一体的に形成されている。このため、ガーニッシュ５０の配置スペースとトランクボード６０の配置スペースを別々に確保する必要がなく、開口部１２（図１参照）を広げることができる。さらに、トランクボード６０にガーニッシュ５０を一体的に形成することで、トランクボード６０の剛性も向上させることができ、トランクボード６０の耐荷重を大きくすることができる。
【００３３】
また、ガーニッシュ５０は、トランクボード６０の上面６１より上方に突出した突出部分５１を有する。この突出部分５１の前面５２のなかの車幅方向中央部は、車両側面視で円弧状に窪みつつ傾斜する第１の傾斜面５３に形成されている。また、突出部分５１の前面５２のなかの車幅方向の両端部は、車両側面視で円弧状に窪みつつ傾斜する第２の傾斜面５４，５４に形成されている。
【００３４】
なお、実施例では、第１の傾斜面５３を車幅方向中央部に形成し、第２の傾斜面５４，５４を車幅方向両端部に形成したが、これに限定されず、ガーニッシュ５０のなかの突出部分５１の前面５２であれば、車両側面視で円弧状に窪みつつ傾斜する傾斜面をいずれの場所に形成してもよく、さらには、突出部分５１の前面５２の全体にわたって傾斜面を形成しても差し支えない。符号Ｃは、車幅方向の中心を示す。
【００３５】
また、ガーニッシュ５０の上面５５には、荷室３０（図１参照）に搭載する荷物の出し入れを案内することが可能な凹部５６が形成されている。凹部５６は、車幅方向中央よりも車幅外方に位置し、且つ、ガーニッシュ５０の車幅方向両側に位置している。凹部５６を設けることで、ガーニッシュ５０の剛性を向上させることができる。
【００３６】
凹部５６は、車両前後方向に貫通するとともに、車両外側から内側に向かって上方に勾配している。このため、自転車を荷室３０に載せる場合、自転車の前輪を低い位置から上方へ容易に導き、自転車を荷室３０に載せやすくできる。
【００３７】
さらに、凹部５６の底面５６ａには、車幅方向に延びる凹凸形状部５６ｂが形成されている。この凹凸形状部によって、ガーニッシュ５０の剛性及び凹部５６の剛性を向上させることができ、重い荷物、例えば自転車などの車輪を凹部５６に載せても、充分に車輪を支えることができる。
【００３８】
ガーニッシュ５０の上面５５のなかの、凹部５６が形成されている以外の部分には、車両前後方向に延びるリブ５５ａが形成されている。リブ５５ａによって、ガーニッシュ５０の剛性を向上させることができる。さらに、リブ５５ａは車両前後方向に延びるので、荷物を一旦ガーニッシュ５０の上面５５に載せて、荷室３０に押し入れる際、荷物を円滑に滑らせて押し込むことができる。
【００３９】
ガーニッシュ５０の後面５７のなかの、車幅方向中央には、ガーニッシュ５０を手で持ち上げるための取っ手部５８が形成されている。取っ手部５８は、後面５７の下端の一部を上方に窪ませただけであるので、容易に成形することができ、加工コストを低減できる。
【００４０】
また、ガーニッシュ５０の下面５９には、ガーニッシュ５０を開口部１２の下縁４１に接地させるための接地部５９ａが形成されている。接地部５９ａは、車幅方向左右に分散して設けられているので、ガーニッシュ５０の下面５９全体を支持することができ、ガーニッシュ５０が下縁４１に接地された際のガーニッシュ５０のがたつきを防止することができる。
【００４１】
また、トランクボード６０の下面にも接地部６２，６２が形成されている。トランクボード６０は、車幅方向両端部が収納部３１（図３参照）の上縁に接地されるため、接地部６２，６２によってトランクボード６０の車幅方向両端部を支持することができる。
【００４２】
以上に述べた車両後部構造の作用を次ぎに説明する。
先ず、ガーニッシュ５０の傾斜面５３，５４の作用を説明する。
図９に示されるように、シート２０は、最後端にある状態、いわゆるリアモストの状態にある。収納部３１の物品を取り出す際には、トランクボード６０を矢印ｃのように持ち上げる。ガーニッシュ５０の取っ手部５８（図３参照）に手を入れることで、ガーニッシュ５０と共にトランクボード６０を持ち上げることができる。
【００４３】
実線で示すトランクボード６０を持ち上げると、実線で示すリアボード７３は、第２折り曲げ部７５を中心に揺動するように持ち上げられ、想像線で示すリアボード７３の位置に移動する。なお、実施例では、シート２０が最後端に位置するが、これに限定されず、トランクボード６０の上面６１にリアボード７３が重なり、トランクボード６０と共にリアボード７３が持ち上がれば、シート２０の位置はいずれであっても差し支えない。
【００４４】
図１０（ａ）に示されるように、ガーニッシュ５０のなかの、トランクボード６０の上面６１より上方に突出した突出部分５１の前面５２には、車両側面視で円弧状に窪みつつ傾斜する第１の傾斜面５３が形成されている。リアボード７３の後端部７７は、断面円弧状に形成されている。ガーニッシュ５０及びトランクボード６０を矢印ｄのように持ち上げる。
【００４５】
図１０（ｂ）に示されるように、トランクボード６０の後部が矢印ｅのように持ち上げられると、リアボード７３は、第２折り曲げ部７５を中心に揺動するとともに、トランクボード６０の上面６１を矢印ｆのようにスライド移動する。リアボード７３の後端部７７は、ガーニッシュ５０に到達する。
【００４６】
図１０（ｃ）に示されるように、トランクボード６０の後部が矢印ｇのようにさらに持ち上げられると、リアボード７３の後端部７７が、矢印ｈのように第１の傾斜面５３上を滑り上がる。
【００４７】
図１０（ｄ）に示されるように、トランクボード６０が大きく開くと、リアボード７３の後端部７７は、第１の傾斜面５３を矢印ｈのように移動し、突出部分５１の上に容易に乗り上がる。このように、トランクボード６０の後部を持ち上げても、リアボード７３の後端部７７が、第１の傾斜面５３によって円滑に案内される。結果、リアボード７３の後端部７７が、ガーニッシュ５０の突出部分５１に引っ掛からないので、トランクボード６０の開動作を滑らかにすることができる。
【００４８】
さらに、第１の傾斜面５３は、ガーニッシュ５０のなかの、車幅方向の中央部（図４参照）に位置するので、トランクボード６０の開動作時に、スライドボード７０をバランス良く第１の傾斜面５３に乗り上げさせることができる。
【００４９】
また、第２の傾斜面５４，５４（図４参照）においても同様の作用効果を得られる。第２の傾斜面５４，５４は、ガーニッシュ５０のなかの、車幅方向の両端部にも位置しているので、トランクボード６０と車幅方向一方側に荷物が有り、左右の荷重バランスが偏った場合であっても、トランクボード６０の開動作時に、リアボード７３を第２の傾斜面５４，５４に乗り上げさせることができる。
【００５０】
次にガーニッシュ５０の凹部５６の作用を説明する。
図１１に示されるように、シート２０は、シートバック２２が前方に倒され、いわゆるダイブダウンの状態にある。このため、車室１４の後部を荷室３０と連続させ、荷室３０を広くすることができる。
【００５１】
フロントボード７２は、シートバック２２と共に前方に倒れている。このため、フロントボード７２、センターボード７１及びリアボード７３は、全体として略平板状となる。荷室３０を広くすることで、大きな荷物である自転車８０を荷室３０に搭載することができる。
【００５２】
作業者が実線で示す自転車８０を荷室に押し入れる際、ガーニッシュ５０に形成された凹部５６によって、自転車８０の前輪８１を荷室３０の車幅方向端部側から誘導する。作業者が自転車８０をある程度押し入れたところで前輪８１を斜めに向けるだけで、想像線で示すように自転車８０を搭載方向に誘導でき、自転車８０の搭載作業を容易にすることができる。
【００５３】
さらに、作業者が意識することなく、自転車８０を車幅方向端部側に寄せ、同時に作業者のスペースを確保することができる。さらに、自転車８０が上下方向に対して斜めに傾けられても、前輪８１を凹部５６に載せることで、前輪８１の横滑りを防止し、前輪８１を容易に誘導することができる。さらに、凹部５６は、ガーニッシュ５０の車幅方向両側に位置しているので、両側から自転車８０を誘導して荷室３０に搭載することができる。
【００５４】
また、凹部５６の底面５６ａ（図４参照）には、凹凸形状部５６ｂが形成されているので、自転車８０を搭載する際、前輪８１又は後輪が滑ることを防止できる。
【００５５】
尚、本発明による車両後部構造は、左右に分割されたシート２０及びスライドボード７０を例に説明したが、車幅方向に亘って配置されるシートに１枚のスライドボードを配置することも可能である。
【００５６】
また、実施例では、スライドボード７０を、センターボード７１、フロントボード７２及びリアボード７３から構成したが、これに限定されず、スライドボード７０が、シートと共に移動し、ガーニッシュ５０が設けられたトランクボード６９の上面６１に載せられていれば、スライドボードは、センターボード７１及びリアボード７３からなる構成や、リアボード７３のみの構成であっても差し支えない。
【００５７】
即ち、本発明は、作用及び効果を奏する限りにおいて、実施例に限定されない。
【産業上の利用可能性】
【００５８】
本発明の車両は、乗用車に好適である。
【符号の説明】
【００５９】
１０…車両
１４…車室
２０…左右のシート
３０…荷室
３１…収納部
５０…ガーニッシュ
５１…突出部分
５２…前面
５３…第１の傾斜面
５４…第２の傾斜面
６０…トランクボード
６１…トランクボードの上面
７０…スライドボード
【図１】
2016124524.tif 000003
【図２】
2016124524.tif 000004
【図３】
2016124524.tif 000005
【図４】
2016124524.tif 000006
【図５】
2016124524.tif 000007
【図６】
2016124524.tif 000008
【図７】
2016124524.tif 000009
【図８】
2016124524.tif 000010
【図９】
2016124524.tif 000011
【図１０】
2016124524.tif 000012
【図１１】
2016124524.tif 000013